(57)【要約】【課題】  別のシートを取り出してぴったり重ね合わせたりする等の手間をかけずに収容体から取り出してすぐ使用できるようなシート収容装置を提供すること。【解決手段】  第１の外装体及び第２の外装体を有し前記第１の外装体及び前記第２の外装体によって包囲される領域が前記第１の外装体及び前記第２の外装体の間に配置される間仕切体によって仕切られて複数の領域を形成する袋体と、前記第１の外装体及び前記第２の外装体並びに前記間仕切体の周縁部が封止される封止部と、前記複数の領域内で前記封止部の近傍に少なくとも一つの把持部が位置するように該複数の領域のそれぞれに収容される複数のシートと、前記封止部より中より位置で前記把持部と重なる位置である切断位置において前記第１の外装体及び前記第２の外装体並びに前記間仕切体のそれぞれに刻設される切断部とを具備する。【選択図】図１Ａ
2017197269.tif 000002
【特許請求の範囲】
【請求項１】
第１の外装体及び第２の外装体を有し前記第１の外装体及び前記第２の外装体によって包囲される領域が前記第１の外装体及び前記第２の外装体の間に配置される間仕切体によって仕切られて複数の領域を形成する袋体と、
前記第１の外装体及び前記第２の外装体並びに前記間仕切体の周縁部が封止される封止部と、
前記複数の領域内で前記封止部の近傍に少なくとも一つの把持部が位置するように該複数の領域のそれぞれに収容される複数のシートと、
前記封止部より中より位置で前記把持部と重なる位置である切断位置において前記第１の外装体及び前記第２の外装体並びに前記間仕切体のそれぞれに刻設される切断部と
を具備することを特徴とするシート収容装置。
【請求項２】
前記複数のシートのそれぞれに引き出し用の引き出し部がさらに付設されることを特徴とする請求項１記載のシート収容装置。
【請求項３】
前記引き出し部は前記複数のシートの前記封止部側のそれぞれの端部に設けられた突起あるいは溝であることを特徴とする請求項２記載のシート収容装置。
【請求項４】
前記切断部は、前記切断位置と略同位置に埋め込まれる糸もしくはテープを含む切断補助部を有することを特徴とする請求項１乃至３のうち何れか１項記載のシート収容装置。
【発明の詳細な説明】
【技術分野】
【０００１】
本発明は、複数のシートを収容する収容装置に関する。
【背景技術】
【０００２】
近年、化粧料を含浸したシートを用いた顔のフェースパック製品が多数発売されている。これらの中で、特許文献１に示すように炭酸塩及び有機酸が水と反応することで炭酸ガス（二酸化炭素）を発生させるパック化粧料も利用されている。このようなパック化粧料を使用すると、肌に接して炭酸ガスが発生することにより、毛細血管が開きやすくなり、毛細血管での血液循環が促される。これにより、肌のすみずみにまで血液がいきわたり、新陳代謝を活発にする。
【０００３】
炭酸塩及び有機酸による炭酸ガス発生剤は、使用するためには水を供給しなければならないが、シートパック保存時には空気中の湿気によって炭酸ガスを発生してしまわないよう密閉容器で保存しなければならない。使用時には、密閉容器を開封してシートパックを取り出しても直ちに使用することはできず、水または水分を供給してから使用しなければならないため、かなり手間がかかってしまう。
【０００４】
また、炭酸ガス発生フェースパックに限らず、従来のシート状のフェースパックにおいては包装を小型化するためにシートを４つ折り程度に折りたたんでおり、これを破れないよう広げて水を供給するにはさらに手間がかかってしまう上に、水供給における部分的ばらつきが出て美容効果が十分発揮できない場合も生じる。
【０００５】
同様な顔パック材としては、目元等の血行促進を図るための温熱による血行促進用シートパックが知られている。特許文献２においては、シート状発熱具及びシート状化粧料を包装体に別個に収容し、使用時には両者を開封し、重ねあわせて顔に押し当てパックを行っている。しかし、両者を開封して正しく重ねあわせ、それを顔に押し当てパックするのはかなり手間がかかることが予想される。さらに重ね合わせをぴったりと、即ち、密着面でのムラ無しに行わないと、温熱反応が正しく全体に行き渡らない恐れがある。
【０００６】
上記２例の先技術行文献にあるように、使用時に組み合わせることにより効果を発揮する複数のシート状材質を、保存時には別個に保存しておく必要のある例は多くある。例えばガーゼと薬剤、補修シートと接着剤等、何れも梱包から取り出して使用するまでにはかなり手間がかかるものである。
【先行技術文献】
【特許文献】
【０００７】
【特許文献１】特開２０１５−２２４１９１号公報
【特許文献２】特開２０１０−５３０６１号公報
【発明の概要】
【発明が解決しようとする課題】
【０００８】
上述のような従来の問題点を解決すべく、本願は、従来のシート状フェースパックの様に、シート状で袋体に収容保存し、使用時に袋体を開封して水分を添加したり、別のシートを取り出してぴったり重ね合わせたりする等の手間をかけずに収容体から取り出してすぐ使用できるようなシート収容装置を提供することを課題とする。
【課題を解決するための手段】
【０００９】
上記のような各課題を解決するために、本発明の一実施態様に係るシート収容装置は、  第１の外装体及び第２の外装体を有し前記第１の外装体及び前記第２の外装体によって包囲される領域が上記第１の外装体及び上記第２の外装体の間に配置される間仕切体によって仕切られて複数の領域を形成する袋体と、上記第１の外装体及び上記第２の外装体並びに上記間仕切体の周縁部が封止される封止部と、上記複数の領域内で上記封止部の近傍に少なくとも一つの把持部が位置するように該複数の領域のそれぞれに収容される複数のシートと、上記封止部より中より位置で上記把持部と重なる位置である切断位置において上記第１の外装体及び上記第２の外装体並びに上記間仕切体のそれぞれに刻設される切断部とを具備することを特徴とする。
【００１０】
上記の構成を備える本発明によれば、間仕切りによって複数の領域に仕切られた複数の領域にそれぞれに異なる性質のシートを収容し、上記袋体の周囲を、異なる各シートを除いて、間仕切りと共に封止し、袋体と間仕切り封止部の一部を切り取ることにより各シートを同時に袋体より取り出すことができる。ここで「外装体」とは、外皮を含み、素材を問わず、袋状にもの（シート、物質、溶液等を含む。）を収容することのできるあらゆるものを指標する概念である。
【００１１】
上記において、上記複数のシートのそれぞれに引き出し用の引き出し部がさらに付設されるようにしてもよい。
【００１２】
また、上記引き出し部は上記複数のシートの上記封止部側のそれぞれの端部に設けられた突起あるいは溝であるようにしてもよい。こうして上記袋体および間仕切りの封止部を切り取った部位に相当する各シート部分に突起あるいは溝等の引き出し部が設けられることで、取り出す動作に有用となる。
【００１３】
さらにまた、上記切断部は、上記切断位置と略同位置に埋め込まれる糸もしくはテープを含む切断補助部を有するようにしてもよい。
【発明の効果】
【００１４】
以上説明したように、本発明に係るシート収容装置によれば、複数シートを収容した袋体を開封し、上記複数シートを同時に引き出すことにより同複数シート同士が接触して反応し、直ちに使用することができる。このため、シートごとに水を添加したり、別のシートと重ね合わせたりする等の手間が省け、装着時の失敗を防ぐことができる。
【図面の簡単な説明】
【００１５】
【図１Ａ】本発明の一実施形態に係るシート収容装置の概略図である。
【図１Ｂ】本発明の一実施形態に係るシート収容装置の断面図である。
【図２】本発明の一実施形態に係るシート収容装置のシート概略図である。
【図３】本発明の一実施形態に係るシート収容装置の動作説明図である。
【図４】本発明の一実施形態に係るシート収容装置の応用例である。
【図５】本発明の一実施形態に係るシート収容装置の別の応用の断面図である。
【発明を実施するための形態】
【００１６】
以下、図面を参照して本発明の一実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１７】
図１Ａは本発明の一実施形態に係るシート収容装置の概略図であり、図１Ｂはその断面図である。説明を分かりやすくするため、炭酸ガス発生フェースパックを収容するために本発明のシート収容装置を適用した場合を例にとって説明する。
【００１８】
外皮１及び外皮２は同一もしくは実質的同一外形（以下、「略同一外形」という。）をもって構成される。外皮１、外皮２を平面方向から見たときの周縁部分が、中仕切り３と共に封止されて外周部４が形成されている。図１Ｂに示されるように、外周部４が周回状に連綿と封止されてできる封止体が略中央の中仕切り３によって仕分けられることで２つの袋体Ａ、Ｂが形成されている。たとえば、袋体Ａには水分と反応して炭酸ガスを発生する成分を含むシート５が封入されており、袋体Ｂには化粧水を含むシート６が封入されている。
【００１９】
外皮１、外皮２、中仕切り３各々の略同一高さに設けられた外皮１切断線７１、外皮２切断線７２、中仕切り３切断線７３が構成する切断線７の部分は、図１Ｂのごとく外皮１、外皮２および中仕切り３の素材が切断線７に沿ってハーフカット８されている。この切断線７は、図１Ｂに示されるように、シート５の取出しの際に持ち手となる把持部５０の上辺端５１と下辺端５２との間、好ましくは略中央部に垂直位置をとる。なお、把持部５０、切断線７は上部でなくともよく、たとえば左もしくは右位置、下部であってもよい。外皮１、外皮２、中仕切り３の該ハーフカット部は、外皮１、外皮２、中仕切り３を同時に切断するためのもので、ハーフカットに換えて切断のための糸やテープを埋め込んでおいてもよく、その他切断のための手段はいろいろ考えられるが、それらはすべて本発明の発明思想に含まれるものである。たとえば、外皮１、外皮２は直方体でなくともよく、たとえば楕円体であってもよい。また切断線７は必ずしも直線状でなくともよく、切断に好適であればよい。
【００２０】
図２は、上記袋体Ａ，Ｂに封入される略同一外形のシート５、シート６の外形である。フェースパック用のシートであるため、目、鼻、口の部分がカットされており、引き出し用のつまみあるいは突起のような引き出し部９が付いている。
【００２１】
なお、つまみあるいは突起の様な引き出し部９はシート５とシート６とを同時に引き出すために両シートを同時につかむ部分であるため、つまみやハンドルあるいは凹部や切り欠き等色々の形状が考えられるがこれらは全て本発明の発明思想に含まれるものである。
【００２２】
図３は、上記で説明してきたように、本発明の一実施形態に係るシート収容装置を炭酸ガス発生フェースパックに応用した場合の動作説明図である。
【００２３】
まず、図３（ａ）のごとく切断線７に沿って収容装置上部を切断すると、シート５及びシート６の上部の引き出し部９が現れる。このシート５及びシート６のつまみ９を図３（ｂ）のごとくそれぞれ同時につまんで、図３（ｃ）、（ｄ）のごとくシート５とシート６を引き出す。シート５及びシート６は、シート６の化粧水の表面張力により密着して引き出されると共にシート５は水と反応して炭酸ガスを発生させるので、引き出したまますぐに顔に乗せてパックすることができる。
【００２４】
上記の説明のように、本発明の一実施形態に係るシート収容装置によれば、仕切りによって複数の領域に仕切られた複数の領域にそれぞれに異なる性質のシートが収容され、この袋体の周囲が各シートを除いて間仕切りと共に封止されているので、利用者は袋体と間仕切り封止部の一部を切り取ることにより各シートを同時に袋体より取り出すことができる。このため利用者は、袋体の封を切って２つのシートを同時に引き出すだけで即使用することができ、水を用意したり他のシートと重ね合わせたりする必要がない。
【００２５】
上記の説明では、２種のシートを引き出す場合について説明したが、図４のように３種のシートを用い、中間のシートによって炭酸ガス発生の反応を遅らせる等色々な使用法が考えられる。
【００２６】
また、袋体の大きさを小型化するため収容するシートを図５（ａ）のごとく折り畳んで収容したり、図５（ｂ）の如くシートを巻き込んで収容し、引き出し時に１枚のシート状に引き伸ばして使用したりすることもできる。
【００２７】
上記の説明では炭酸ガス発生フェースパックに本発明を応用した場合を例にとったが、通常同時に保管できない物質のシートを本発明のシート収容装置に収容し、使用時にのみ開封して引き出し、組み合わせて用いる等各種の使用法に応用することができる。
【産業上の利用可能性】
【００２８】
上述してきたように、本発明によれば、使用時に反応させて用いる複数のシート状物質を隔離して同一の袋体に収容しておき、使用時に当該袋体を開封して当該複数のシート状物質を同時に取出すだけで複数シートが反応するため、容易に使用することができる。
【００２９】
また、本発明によれば、上述例の美容分野ばかりでなく、各種製造業や建設分野では成形シートと接着剤及び接着硬化剤を組み合せたり、食品分野ではシート状食品とシート状調味材とを組合せたり、医療分野では温熱シートと水分含有シートとの組合せや皮膚貼付シートと薬品シートとの組合せ等、幅広い分野に本発明を利用することができる。以上のように、本発明は薬事業、美容業をはじめとする様々な、より広い分野に対して大きな有益性をもたらすものである。
【符号の説明】
【００３０】
１…外皮、２…外皮、３…中仕切り、４…外周部、５…シート、６…シート、７…切断線、８…ハーフカット、９…引き出し部、５０…把持部、Ａ、Ｂ…袋体
【図１Ａ】
2017197269.tif 000003
【図１Ｂ】
2017197269.tif 000004
【図２】
2017197269.tif 000005
【図３】
2017197269.tif 000006
【図４】
2017197269.tif 000007
【図５】
2017197269.tif 000008
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
第１の外装体及び第２の外装体を有し前記第１の外装体及び前記第２の外装体によって包囲される領域が前記第１の外装体及び前記第２の外装体の間に配置される間仕切体によって仕切られて複数の領域を形成する袋体と、
前記第１の外装体及び前記第２の外装体並びに前記間仕切体の周縁部が封止される封止部と、
前記複数の領域内で前記封止部の近傍に少なくとも一つの把持部が位置するように該複数の領域のそれぞれに収容される複数のシートと、
前記封止部より中よりの位置であって前記複数のシートを平面方向正面から見たときに前記把持部と重なる位置である切断位置において前記第１の外装体及び前記第２の外装体並びに前記間仕切体のそれぞれに刻設される切断部と
を具備することを特徴とするシート収容装置。
【請求項２】
前記複数のシートのそれぞれに引き出し用の引き出し部がさらに付設されることを特徴とする請求項１記載のシート収容装置。
【請求項３】
前記引き出し部は前記複数のシートの前記封止部側のそれぞれの端部に設けられた突起あるいは溝であることを特徴とする請求項２記載のシート収容装置。
【請求項４】
前記切断部は、前記切断位置と略同位置に埋め込まれる糸もしくはテープを含む切断補助部を有することを特徴とする請求項１乃至３のうち何れか１項記載のシート収容装置。